(57)【要約】【課題】  アクチュエータにおける原稿の引っ掛かり防止および原稿載置台に形成する穴の大きさを比較的小さくすることが可能な原稿検出センサの提供。【解決手段】  原稿載置台１０１に載置される原稿を給紙する原稿給紙装置１に設けられる原稿検出センサであって、原稿載置台１０１の原稿載置面に設けられる穴１１，１２からその先端部１３，１４が突出し原稿の先端と接触することにより下方に沈むアクチュエータ２０を含み、アクチュエータ２０の先端部１３，１４は三角錐の形状をなす。【選択図】      図１
2008303002.tif 000002
【特許請求の範囲】
【請求項１】
原稿載置台に載置される原稿を給紙する原稿給紙装置に設けられる原稿検出センサであって、
前記原稿載置台の原稿載置面に設けられる穴からその先端部が突出し前記原稿の先端と接触することにより下方に沈むアクチュエータを含み、前記アクチュエータの先端部は三角錐の形状をなすことを特徴とする原稿検出センサ。
【請求項２】
前記原稿載置台に設けられる穴は、前記アクチュエータの先端部が前記原稿載置台から上下に移動するための最小限の大きさに形成されることを特徴とする請求項１記載の原稿検出センサ。
【請求項３】
前記アクチュエータの先端部は３つの側面が板状に形成されることを特徴とする請求項１または２記載の原稿検出センサ。
【請求項４】
前記アクチュエータの先端部は３つの側面が骨組みで形成されることを特徴とする請求項１または２記載の原稿検出センサ。
【請求項５】
前記アクチュエータの先端部は３つの側面のうちの２つの側面が板状に形成され３番目の側面は省略されることを特徴とする請求項１または２記載の原稿検出センサ。
【請求項６】
前記アクチュエータの先端部は前記原稿の搬送方向に複数個設けられることを特徴とする請求項１から５いずれかに記載の原稿検出センサ。
【請求項７】
複写機、ファクシミリおよびプリンタのいずれかに用いられることを特徴とする請求項１から６いずれかに記載の原稿検出センサ。
【発明の詳細な説明】
【技術分野】
【０００１】
本発明は、原稿検出センサに関し、特に複写機やファクシミリ、プリンタ等に使用される原稿給紙装置、すなわち、複数枚の原稿を載置することができ、ローラによって１番上の原稿と下の原稿との分離および給紙搬送を行う装置において、原稿を載置する台に設置され原稿の有無および原稿サイズを検出する原稿検出センサに関する。
【背景技術】
【０００２】
図９は関連する原稿給紙装置の一例の構成図である。同図を参照すると、関連する原稿給紙装置１００は、原稿載置台１０１と、原稿載置台１０１の原稿載置面に設けられる穴１０２，１０３と、各穴１０２，１０３から突出するアクチュエータの先端部１０４，１０５とを含んで構成される。
【０００３】
アクチュエータの先端部１０４，１０５は平板状に形成されている。そして、原稿載置台１０１に図示しない原稿が載置されると、その重量によりアクチュエータの先端部１０４，１０５が押し下げられ、これにより原稿載置台１０１に原稿が載置されたことが検出される。
【０００４】
また、この一例では原稿の搬送方向に２個の先端部１０４，１０５が設けられるため、先端部１０４だけ押し下げられた場合は比較的小さなサイズの原稿が載置されたことが検出され、先端部１０４および１０５の両方が押し下げられた場合は比較的大きなサイズの原稿が載置されたことが検出される。
【０００５】
このように、この一例では原稿の有無とともに原稿サイズの検出が可能である。
【０００６】
図１０は関連する原稿給紙装置の一例のアクチュエータの一例の構成図である。なお、図９と同様の構成部分には同様の番号を付し、その説明を省略する。
【０００７】
同図には先端部１０４を有するアクチュエータ１０６の一例が示されている。なお、先端部１０５を有するアクチュエータの構成はこのアクチュエータ１０６と同様であるのでその説明を省略する。
【０００８】
アクチュエータ１０６は原稿載置台１０１の下側に設けられる。アクチュエータ１０６は原稿載置台１０１あるいは原稿給紙装置本体側に固定される支点部１０７を中心として回転摺動する先端部１０４およびその延出部１０８を備えている。
【０００９】
また、原稿載置台１０１には穴１０２が設けられており、この穴１０２を介してアクチュエータ１０６の先端部１０４が原稿載置台１０１から突出あるいは沈下する。
【００１０】
すなわち、原稿載置台１０１に原稿１０９が載置されると、原稿１０９の重量によりアクチュエータ１０６の先端部１０４が押し下げられ、アクチュエータ１０６が支点部１０７を中心として回転摺動する。
【００１１】
一方、関連する他の原稿給紙装置の一例として、円弧状の先端部を有するアクチュエータを備えたものが開示されている（たとえば、特許文献１参照）。この一例ではアクチュエータの先端部が円弧状に形成されているため、原稿が搬送方向に搬送された場合の先端部での引っ掛かりを防止することが可能であるが、それ以外の方向から搬送された場合は先端部で引っ掛かるおそれがある。
【００１２】
また、関連する他の原稿給紙装置の一例として、四角錐形状の先端部を有するアクチュエータを備えたものが開示されている（たとえば、特許文献２参照）。この一例ではアクチュエータの先端部が四角錐状に形成されているため、原稿が搬送方向に搬送された場合および原稿が搬送方向と直角方向に移動した場合の先端部での引っ掛かりを防止することが可能である。
【００１３】
【特許文献１】特開平１０−０５１５８０号公報（段落００１７および図８（ｂ））
【特許文献２】特開平１０−１５２２３０号公報（段落００１０および図３）
【発明の開示】
【発明が解決しようとする課題】
【００１４】
図１１は関連するアクチュエータ１０６の動作の一例を示す模式図である。なお、同図において図１０と同様の構成部分には同様の番号を付し、その説明を省略する。
【００１５】
同図を参照すると、先端部１０４が平板状に形成されているため、原稿載置台１０１に原稿１０９を載置する際に矢印１１０の方向に載置すると、原稿１０９の先端が先端部１０４に引っ掛かり、アクチュエータ１０６が回転摺動しないという問題があった。この場合、原稿１０９が破損する可能性があるばかりでなく、アクチュエータ１０６が破損する可能性もある。
【００１６】
一方、特許文献２に開示されたアクチュエータはその先端部が四角錐形状に形成されているため、原稿が搬送方向に搬送された場合および原稿が搬送方向と直角方向に移動した場合の先端部での引っ掛かりを防止することが可能である。
【００１７】
しかし、特許文献２に開示されたアクチュエータは原稿載置台に四角錐形状の先端部が突出可能な四角形の穴を形成する必要があり、比較的大きな穴となるため、その穴から異物等が原稿給紙装置の内部に落下し易くなるという問題がある。
【００１８】
そこで本発明の目的は、アクチュエータにおける原稿の引っ掛かり防止および原稿載置台に形成する穴の大きさを比較的小さくすることが可能な原稿検出センサを提供することにある。
【課題を解決するための手段】
【００１９】
前記課題を解決するために、本発明の第１の原稿検出センサは、原稿載置台に載置される原稿を給紙する原稿給紙装置に設けられる原稿検出センサであって、前記原稿載置台の原稿載置面に設けられる穴からその先端部が突出し前記原稿の先端と接触することにより下方に沈むアクチュエータを含み、前記アクチュエータの先端部は三角錐の形状をなすことを特徴とする。
【発明の効果】
【００２０】
本発明によれば、アクチュエータにおける原稿の引っ掛かり防止および原稿載置台に形成する穴の大きさを比較的小さくすることが可能となる。
【発明を実施するための最良の形態】
【００２１】
以下、本発明の実施例について添付図面を参照しながら説明する。
【実施例１】
【００２２】
図１は本発明による原稿給紙装置１の第１実施例の外観斜視図である。なお、同図において図９と同様の構成部分には同一番号を付し、その説明を省略する。
【００２３】
同図を参照すると、第１実施例の原稿給紙装置１は、原稿載置台１０１と、原稿載置台１０１の原稿載置面に設けられる穴１１，１２と、各穴１１，１２から突出するアクチュエータの先端部１３，１４とを含んで構成される。
【００２４】
図２は第１実施例のアクチュエータの先端部１３，１４周辺の拡大図である。同図を参照すると、アクチュエータの先端部１３，１４は三角錐の形状に形成されている。また、穴１１，１２はアクチュエータの先端部１３，１４が原稿載置台１０１から上下に移動するための最小限の大きさに形成されており、同図に示すように、穴１１，１２は三角形の形状に形成されている。
【００２５】
図３は第１実施例のアクチュエータの動作の一例を示す模式図である。なお、同図において図１０と同様の構成部分には同一番号を付し、その説明を省略する。また、同図には先端部１３を有するアクチュエータ２０が示されているが、先端部１４を有するアクチュエータの構成もアクチュエータ２０と同様であるため、その説明を省略する。同図のアクチュエータ２０が原稿検出センサを構成する。
【００２６】
図３を参照すると、第１実施例の原稿給紙装置１のアクチュエータ２０は、先端部１３とその延出部１５とを含んで構成され、延出部１５の一端が支点部１６に支持されることにより、支点部１６を中心として先端部１３が矢印１１１の方向に回転摺動する構成となっている。なお、支点部１６は原稿載置台１０１あるいは原稿給紙装置本体側に固定される。
【００２７】
原稿載置台１０１に原稿１０９が矢印１７で示す方向、すなわちアクチュエータ２０の先端部１３方向に載置されると、原稿１０９の先端がアクチュエータ２０の先端部１３を押圧する。
【００２８】
一方、アクチュエータ２０の先端部１３は傾斜面であるため、アクチュエータ２０の先端部１３が押し下げられるとともに原稿１０９の先端は押し上げられる。これにより原稿載置台１０１に原稿１０９が載置されたことが検出される。
【００２９】
また、この一例では原稿の搬送方向に２個の先端部１３，１４が設けられるため（図１参照）、先端部１３だけ押し下げられた場合は比較的小さなサイズの原稿が載置されたことが検出され、先端部１３および１４の両方が押し下げられた場合は比較的大きなサイズの原稿が載置されたことが検出される。
【００３０】
このように、第１実施例では原稿の有無とともに原稿サイズの検出が可能である。
【００３１】
図４は第１実施例のアクチュエータ２０の平面図である。同図に示すように、アクチュエータ２０の先端部１３は三角錐の形状に形成されている。また、３つの側面（１３ａ〜１３ｃ）は板状に形成されている。
【００３２】
以上説明したように、本発明の第１実施例によれば、アクチュエータの先端部１３，１４が三角錐の形状に形成されているため、一例としてアクチュエータ２０の場合について述べると、図３に示すように原稿１０９が矢印１７方向に載置された場合は、原稿１０９の先端は先端部１３の傾斜面( 側面) に沿って押し上げられる（このとき先端部１３は沈下する）ため、原稿１０９が先端部１３に引っ掛かるのを防止することが可能となる。
【００３３】
また、原稿１０９が矢印１７以外の方向に移動した場合は、原稿１０９の先端は先端部１３の他の傾斜面( 側面) のいずれかに沿って押し上げられる（このとき先端部１３は沈下する）ため、この場合も原稿１０９が先端部１３に引っ掛かるのを防止することが可能となる。
【００３４】
一方、図２を参照すると、原稿載置台１０１の原稿載置面に設けられる穴１１，１２の形状は三角形である。三角形の面積は四角形を対角線で二等分した一方の大きさとなる。したがって、一辺の長さが互いにほぼ等しい三角形と四角形の面積を考えると、三角形の面積は四角形の面積のほぼ半分となる。したがって、前述の特許文献２に開示された原稿載置台の四角形の穴に比べ、本発明の第１実施例の穴１１，１２はほぼ半分の大きさとなり、特許文献２に開示の原稿載置台に比べ、その穴から異物等が原稿給紙装置の内部に落下するのを低減することが可能となる。
【実施例２】
【００３５】
図５は原稿給紙装置１の第１実施例の他の外観斜視図である。同図に示すように、第１実施例ではアクチュエータの先端部１３，１４が三角錐の形状に形成されているため、原稿載置台１０１の原稿載置面に設けられる穴１１，１２は三角形状をなしている。
【００３６】
一方、第２実施例ではその穴の大きさをさらに小さくする。図６は第２実施例のアクチュエータ３０の平面図である。同図を参照すると、第２実施例のアクチュエータ３０の先端部３１は３つの側面が骨組みで形成される。すなわち、先端部３１は三角錐の骨部４１〜４４と、これら骨部４１〜４４を支点部３２に支持させるための支持部４５，４６とを含んで構成される。なお、骨部４２〜４４で形成される三角形状の面は板状に形成してもよい。
【００３７】
図７は第２実施例の原稿給紙装置１の内部の構成図である。同図を参照すると原稿給紙装置１の裏面には２個のアクチュエータ３０（３０ａ，３０ｂ）が設けられている。アクチュエータ３０ａは先端部３１ａおよび支点部３２ａを含み、アクチュエータ３０ｂは先端部３１ｂおよび支点部３２ｂを含んでいる。なお、図７はアクチュエータの先端部が骨組み形状のものを示しているが、板状の場合（第１実施例）もアクチュエータの配置は同様である。
【００３８】
以上説明したように、第２実施例のアクチュエータ３０の先端部３１は３つの側面が骨組みで形成されるため、原稿載置台の原稿載置面に設ける穴はＴ字状とすることが可能となる。したがって、第１実施例の三角形状の穴よりも小さな穴となり、その穴から異物等が原稿給紙装置の内部に落下するのをさらに低減することが可能となる。
【００３９】
また、アクチュエータの先端部３１が三角錐状に形成されている点は第１実施例と同様であるため、第１実施例と同様に原稿が先端部３１に引っ掛かるのを防止することが可能となる。
【実施例３】
【００４０】
図８は第３実施例の原稿給紙装置１の外観斜視図である。なお、同図において図５と同様の構成部分には同一番号を付し、その説明を省略する。
【００４１】
第３実施例ではアクチュエータの先端部５１，５２の３つの側面のうちの２つの側面（６１および６２、あるいは６３および６４）が板状に形成され、３番目の側面は省略されている。
【００４２】
以上説明したように、第３実施例のアクチュエータの先端部５１，５２は２つの板状の側面で形成されるため、原稿載置台の原稿載置面に設ける穴はＬ字状とすることが可能となる。したがって、第１実施例の三角形状の穴よりも小さな穴となり、その穴から異物等が原稿給紙装置の内部に落下するのをさらに低減することが可能となる。
【００４３】
また、アクチュエータの先端部５１，５２が三角錐状に形成されている点は第１実施例と同様であるため、第１実施例と同様に原稿が先端部５１，５２に引っ掛かるのを防止することが可能となる。
【図面の簡単な説明】
【００４４】
【図１】本発明による原稿給紙装置１の第１実施例の外観斜視図である。
【図２】第１実施例のアクチュエータの先端部１３，１４周辺の拡大図である。
【図３】第１実施例のアクチュエータの動作の一例を示す模式図である。
【図４】第１実施例のアクチュエータ２０の平面図である。
【図５】原稿給紙装置１の第１実施例の他の外観斜視図である。
【図６】第２実施例のアクチュエータ３０の平面図である。
【図７】第２実施例の原稿給紙装置１の内部の構成図である。
【図８】第３実施例の原稿給紙装置１の外観斜視図である。
【図９】関連する原稿給紙装置の一例の構成図である。
【図１０】関連する原稿給紙装置の一例のアクチュエータの一例の構成図である。
【図１１】関連するアクチュエータ１０６の動作の一例を示す模式図である。
【符号の説明】
【００４５】
１  原稿給紙装置
１１，１２  穴
１３，１４，３１，３１ａ，３１ｂ  アクチュエータの先端部
５１，５２  アクチュエータの先端部
１３ａ〜１３ｃ，６１〜６４  側面
１５  延出部
１６，３２，３２ａ，３２ｂ  支点部
２０，３０，３０ａ，３０ｂ  アクチュエータ
４１〜４４  三角錐の骨部
４５，４６  支持部
１０１  原稿載置台
１０９  原稿
【図１】
2008303002.tif 000003
【図２】
2008303002.tif 000004
【図３】
2008303002.tif 000005
【図４】
2008303002.tif 000006
【図５】
2008303002.tif 000007
【図６】
2008303002.tif 000008
【図７】
2008303002.tif 000009
【図８】
2008303002.tif 000010
【図９】
2008303002.tif 000011
【図１０】
2008303002.tif 000012
【図１１】
2008303002.tif 000013